(57)【要約】【課題】二重ロック構造でありながら蓋体の開閉に係る操作性を向上することのできる工具ケースを提供する。【解決手段】工具ケース１０は、ケース本体１２と蓋体１４とを備える。ケース本体１２に設けられた第１の係合部２６及び第２の係合部２８と、蓋体１４に設けられたラッチベース２２及びラッチレバー２４を備える。ラッチベース２２は、ケース本体１２に蓋体１４を閉じたときに第１の係合部２６に第１のバネの弾性をもって係合する。ラッチレバー２４は、ラッチベース２２が第１の係合部２６に係合したときに第２の係合部２８に第２のバネの弾性をもって係合する。第２の係合部２８に対するラッチレバー２４の係合の解除操作に連動して第１の係合部２６に対するラッチベース２２の係合が解除される構成とした。【選択図】図２
2010207937.tif 000002
【特許請求の範囲】
【請求項１】
互いに開閉可能に設けられたケース本体と蓋体とを備える工具ケースであって、
ケース本体又は蓋体のいずれか一方に設けられたメイン係合部及びサブ係合部と、
ケース本体又は蓋体のいずれか他方に設けられ、ケース本体に蓋体を閉じたときに前記メイン係合部に弾性部材の弾性をもって係合するメインラッチと、
前記メインラッチに設けられ、メインラッチが前記メイン係合部に係合したときに前記サブ係合部に弾性部材の弾性をもって係合するサブラッチと
を備え、
前記サブ係合部に対する前記サブラッチの係合の解除操作に連動して前記メイン係合部に対する前記メインラッチの係合が解除される構成とした
ことを特徴とする工具ケース。
【請求項２】
請求項１に記載の工具ケースであって、
前記メイン係合部に対する前記メインラッチの係合が解除されたときに、ケース本体に対して蓋体を開く方向に付勢するプッシュ機構を備えたことを特徴とする工具ケース。
【発明の詳細な説明】
【技術分野】
【０００１】
本発明は、例えば、電動工具、手動工具等を収納する工具ケースに関する。
【背景技術】
【０００２】
従来の一般的な工具ケースは、互いに開閉可能に設けられたケース本体と蓋体とを備え、ケース本体に蓋体を閉じた状態に保持するために、蓋体に係合部が設けられ、蓋体の係合部に掛止可能な掛止環を回動可能に備えた操作部材がケース本体に回動可能に設けられたものがあった（「従来技術１」という。）。また、蓋体に係合部が設けられ、係合部に係脱可能な操作部材がケース本体に回動可能に設けられたものがあった（「従来技術２」という。）。その他には、例えば特許文献１，２に記載されたものがあった。
【先行技術文献】
【特許文献】
【０００３】
【特許文献１】実用新案登録公報第２５８８７７９号公報
【特許文献２】登録実用新案公報第３００９９９２号公報
【発明の概要】
【発明が解決しようとする課題】
【０００４】
前記従来技術１のものでは、蓋体の閉鎖時に、ケース本体に蓋体を閉じる操作と、蓋体の係合部に操作部材の掛止環を掛止させる操作と、掛止環を緊張する方向へ操作部材を回動させる操作との計３アクションが必要であり、また蓋体の開放時にも閉鎖時と逆順で計３アクションが必要であるため、蓋体の開閉に係る各操作性が悪いという問題があった。また、前記従来技術２のものでは、蓋体の閉鎖時に、ケース本体に蓋体を閉じる操作と、蓋体の係合部にケース本体の操作部材を係合させる操作の計２アクションが必要であり、また蓋体の開放時にも閉鎖時と逆順で計２アクションが必要であるため、従来技術１に比べれば１アクション少ないというものの、未だ蓋体の開閉に係る各操作性が悪いという問題があった。
また、前記特許文献１のものでは、蓋体の閉鎖時に、ケース本体に蓋体を閉じたときに、ケース本体に設けられた係合部に、蓋体に設けられた操作部材が弾性部材の弾性をもって係合し、また係合部に対する操作部材の係合の解除動作に連動して蓋体が開かれる。このため、蓋体の開閉に係る各操作が１アクションで行える。しかしながら、係合部に操作部材が係合するだけのいわゆる一重ロック構造であるため、工具ケースの落下等による不意な外力により蓋体が開いてしまうおそれがあった。また、前記特許文献２のものでは、二重ロック構造であるため、不意な外力により蓋体が開いてしまうことが防止されるものの、蓋体の閉鎖時に、ケース本体に蓋体を閉じる操作と、二重ロック構造に係る２操作の計３アクションが必要であり、また蓋体の開放時にも閉鎖時と逆順で計３アクションが必要であり、蓋体の開閉に係る操作性が悪いという問題があった。
【０００５】
本発明が解決しようとする課題は、二重ロック構造でありながら蓋体の開閉に係る操作性を向上することのできる工具ケースを提供することにある。
【課題を解決するための手段】
【０００６】
前記課題は、特許請求の範囲の欄に記載された構成を要旨とする工具ケースにより解決することができる。
すなわち、特許請求の範囲の請求項１に記載された工具ケースによると、ケース本体に蓋体を閉じると、ケース本体又は蓋体のいずれか一方に設けられたメイン係合部に、ケース本体又は蓋体のいずれか他方に設けられたメインラッチが弾性部材の弾性をもって係合する。これにともない、ケース本体又は蓋体のいずれか一方に設けられたサブ係合部に、メインラッチに設けられたサブラッチが弾性部材の弾性をもって係合する。これにより、蓋体を閉じる操作の１アクションのみで、メイン係合部に対するメインラッチの係合によるメインロックがなされるとともにサブ係合部に対するサブラッチの係合によるサブロックがなされることによって、二重ロックがなされる。また、蓋体の開放時において、サブ係合部に対するサブラッチの係合の解除操作に連動してメイン係合部に対するメインラッチの係合が解除されることにより、蓋体の開放に係る操作を１アクションで行える。したがって、二重ロック構造でありながら蓋体の開閉に係る操作性を向上することができる。
【０００７】
また、特許請求の範囲の請求項２に記載された工具ケースによると、メイン係合部に対するメインラッチの係合が解除されたときに、プッシュ機構によりケース本体に対して蓋体を押し開くことができる。
【図面の簡単な説明】
【０００８】
【図１】一実施例に係る工具ケースを示す斜視図である。
【図２】蓋体の半開状態におけるロック機構を示す正面図である。
【図３】蓋体の半開状態におけるロック機構を示す斜視図である。
【図４】ロック機構の作動開始状態を示すもので、図２のC−C線矢視断面に相当する断面図である。
【図５】ロック機構の作動途中状態を示す斜視図である。
【図６】ロック機構の作動途中状態を示すもので、図２のC−C線矢視断面に相当する断面図である。
【図７】ロック機構のメインロックのロック完了状態を示す斜視図である。
【図８】ロック機構のメインロックのロック完了状態を示すもので、図２のB−B線矢視断面に相当する断面図である。
【図９】ロック機構のサブロックのロック完了状態を示す斜視図である。
【図１０】ロック機構のサブロックのロック完了状態を示すもので、図２のA−A線矢視断面に相当する断面図である。
【図１１】ラッチベースを後面側から見た斜視図である。
【図１２】ラッチレバーを後面側から見た斜視図である。
【図１３】プッシュ機構を示すもので、図２のD−D線矢視断面に相当する断面図である。
【図１４】図１３のXIV−XIV線矢視断面図である。
【図１５】プッシュ機構を示す平面図である。
【図１６】プッシュ機構の構成部品を示す分解斜視図である。
【発明を実施するための形態】
【０００９】
以下、本発明を実施するための形態について図面を用いて説明する。
【実施例】
【００１０】
本発明の一実施例を説明する。図１は工具ケースを示す斜視図である。
図１に示すように、工具ケース１０は、ケース本体１２と蓋体１４とを備えている。ケース本体１２は、例えば合成樹脂製で、箱状に形成されている。また、蓋体１４は、例えば合成樹脂製で、ケース本体１２の上面開口を覆う下面開口状の有天箱状に形成されている。ケース本体１２と蓋体１４とは、後面側に設けられたヒンジ機構（図示しない）によって互いに開閉可能に連結されている。また、ケース本体１２の開口側の面すなわち前面の中央部には、持ち運び用のハンドル１６が上下方向に回動可能に取付けられている。ケース本体１２及び蓋体１４の前面には、上下方向に連続する縦溝状をなす左右一対の凹溝１８（ケース本体１２の凹溝及び蓋体１４の凹溝に同一符号を付す）が形成されている。各凹溝１８内にそれぞれロック機構２０が配置されている。両ロック機構２０は左右対称状をなすものであるから、右側のロック機構２０について説明し、左側のロック機構２０についての説明は省略する。なお、図２は蓋体の半開状態におけるロック機構を示す正面図、図３は同じく斜視図、図４はロック機構の作動開始状態を示すもので、図２のC−C線矢視断面に相当する断面図、図５はロック機構の作動途中状態を示す斜視図、図６は同じく図２のC−C線矢視断面に相当する断面図、図７はロック機構のメインロックのロック完了状態を示す斜視図、図８は同じく図２のB−B線矢視断面に相当する断面図、図９はロック機構のサブロックのロック完了状態を示す斜視図、図１０は同じく図２のA−A線矢視断面に相当する断面図である。
【００１１】
図２に示すように、前記ロック機構２０は、前記蓋体１４に設けられたラッチベース２２及びラッチレバー２４と、前記ケース本体１２に設けられた第１の係合部２６及び第２の係合部２８とにより構成されている。なお、図１１はラッチベースを後面側から見た斜視図、図１２はラッチレバーを後面側から見た斜視図である。
図２に示すように、ラッチベース２２は、例えば合成樹脂製で、四角形板状の主板部３０と、その主板部３０の両端部から下方へ延びる左右の両側片部３１とを有している。主板部３０の両側面の上部には、左右一対の軸部３２が突出されている（図１１参照）。両軸部３２が前記蓋体１４の凹溝１８の両溝壁に形成された軸孔（図示省略）に合成樹脂材の弾性を利用して回動可能に係合されている（図２参照）。これにより、蓋体１４にラッチベース２２が前後方向（図２において紙面表裏方向）に回動可能に支持されている。なお、ラッチベース２２は本明細書でいう「メインラッチ」に相当する。
【００１２】
前記蓋体１４に対する前記ラッチベース２２の回動範囲は、所定範囲内に制限されるように構成されている。すなわち、図１０に示すように、ラッチベース２２の主板部３０の後面の中央部には第１の当接部３４が突出されている。蓋体１４の凹溝１８の溝底面（溝壁の前面）に突出された第１のストッパ部３５に第１の当接部３４が当接することにより、ラッチベース２２の後方（図１０において右方）への回動が制限される。なお、ラッチベース２２の第１の当接部３４が第１のストッパ部３５に当接する位置を「ロック位置」という。また図６に示すように、主板部３０の上縁部には第２の当接部３７が形成されている。蓋体１４の凹溝１８の溝底面（溝壁の前面）に形成された第２のストッパ部３８上に第２の当接部３７が当接したときには、ラッチベース２２の前方（図６において左方）への回動が制限される。なお第２のストッパ部３８は、第１のストッパ部３５の左右両端部上に四角ブロック状に形成されている。
【００１３】
前記蓋体１４の凹溝１８の溝底面（溝壁の前面）とそれに対向する前記主板部３０の上端部との対向面の間には、前記第１のストッパ部３５上に位置する圧縮コイルバネからなる第１のバネ４０が介装されている。第１のバネ４０は、主板部３０の上端部を常に前方（図１０において左方）へ付勢することにより該ラッチベース２２をロック位置へ付勢している。また、第１のバネ４０と蓋体１４との間には、該バネ４０の後端部を保持するバネホルダ４１が設けられている。また、第１のバネ４０の前端部は、主板部３０の後面に突出された円柱状の突起部４２に嵌合されている。なお、第１のバネ４０は本明細書でいう「弾性部材」に相当する。
【００１４】
図１１に示すように、前記両側片部３１の基端部の後面には、左右一対の第１の係止部４４が形成されている。第１の係止部４４は、上面に形成された係止面４４ａと、その係止面４４ａの後端から下方に向かって次第に前方へ傾斜する傾斜面４４ｂとを有している（図６中、二点鎖線４４参照）。また、図１１に示すように、前記両側片部３１の基端部の後面には、両第１の係止部４４の下側に隣接する左右一対の軸受部４５が形成されている。また、軸受部４５は、対向側に開口する軸孔４５ａを有している。また、主板部３０の後面における下端中央部には、バネ受け部４６が突出されている。バネ受け部４６は、図１０に示すように、水平状の基板部４６ａと、基板部４６ａの後端部から下方へ延びる受板部４６ｂと、基板部４６ａと受板部４６ｂとのなす隅角部を覆う左右の側板部４６ｃを有している。
【００１５】
図２に示すように、前記ラッチレバー２４は、例えば合成樹脂製で、前記ラッチベース２２の両側片部３１の間の逆Ｕ字状の凹所内に嵌合する四角形板状に形成されている。ラッチレバー２４の両側面の上部には、左右一対の軸部４７が突出されている（図１２参照）。両軸部４７が前記ラッチベース２２の両軸受部４５の軸孔４５ａ（図１１参照）に合成樹脂材の弾性を利用して係合されている。これにより、ラッチベース２２にラッチレバー２４が前後方向（図２において紙面表裏方向）に回動可能に支持されている。なお、ラッチレバー２４は本明細書でいう「サブラッチ」に相当する。
【００１６】
前記ラッチベース２２に対する前記ラッチレバー２４の回動範囲は、所定範囲内に制限されるように構成されている。すなわち、図１０に示すように、ラッチレバー２４の上縁部２４ａ（図８参照）がラッチベース２２の主板部３０の下縁部３０ａ（図８参照）にその後側（図１０において右側）から当接することにより、ラッチレバー２４の後方（図１０において右方）への回動が制限される。なお、ラッチベース２２がロック位置にある状態で、ラッチレバー２４の上縁部２４ａがラッチベース２２の主板部３０の下縁部３０ａに当接する位置を「ロック位置」という。また、ラッチベース２２の両軸受部４５にラッチレバー２４の両軸部４７の近くの側縁部４７ａ（図１２参照）が当接したときには、ラッチレバー２４の前方への回動が制限される（図８参照）。
【００１７】
前記ラッチベース２２のバネ受け部４６の受板部４６ｂとそれに対向するラッチレバー２４の部分との間には、圧縮コイルバネからなる第２のバネ４８が介装されている。第２のバネ４８は、ラッチレバー２４を常にロック位置へ付勢している。また、ラッチレバー２４の後面には、第２のバネ４８を受けるバネ受け片４９が突出されている。また、第２のバネ４８は、バネ受け片４９及び前記ラッチベース２２のバネ受け部４６の基板部４６ａ及び両側板部４６ｃにより取り囲まれている。なお、第２のバネ４８は本明細書でいう「弾性部材」に相当する。
また、図１２に示すように、ラッチレバー２４の後面には、上下方向の中央部において一方（図１２において下側）の軸部４７に隣接する第２の係止部５０が形成されている。第２の係止部５０の上面（上縁部２４ａ側の面）は係止面５０ａとなっている。また、第２の係止部５０の先端部には、上方に突出する係止爪５１が形成されている。
【００１８】
次に、第１の係合部２６を説明する。図２に示すように、第１の係合部２６は、前記ケース本体１２の凹溝１８の前面の上端部に左右一対として形成されている。両第１の係合部２６は、前記ラッチベース２２の両第１の係止部４４（図１１参照）にそれぞれ対応している。図４に示すように、第１の係合部２６は、四角形ブロック状に形成され、その下面が水平状をなす係合面２６ａとなっている。第１の係合部２６の係合面２６ａと前面（図４において左端面）とはなだらかに連続している。また、第１の係合部２６上には、前端より上方に向かって次第に後方へ傾斜する傾斜面５３ａを有する三角柱状の案内部５３が形成されている。これにともない、前記蓋体１４の両第２のストッパ部３８には、下面に開口されかつ蓋体１４の閉鎖時において各案内部５３を受入可能な受入凹部５５が形成されている。なお、第１の係合部２６は本明細書でいう「メイン係合部」に相当する。
【００１９】
図２に示すように、前記第２の係合部２８は、前記ケース本体１２の凹溝１８の前面の上部に形成されている。第２の係合部２８は、一方（左側）の第１の係合部２６の右下方に隣接し、前記ラッチレバー２４の第２の係止部５０（図１２参照）に対応している。第２の係合部２８は、縦長ブロック状に形成され、その下面が水平状をなす係合面（符号省略）となっている。第２の係合部２８の下面（係合面）と前面（図８において左側面）とはなだらかに連続している。また、第２の係合部２８の下面（係合面）には、第２の係止部５０の係止爪５１と係合可能な係合凹部５７が形成されている。なお、第２の係合部２８は本明細書でいう「サブ係合部」に相当する。
【００２０】
図３に示すように、前記ケース本体１２の前隅角部には、前記ロック機構２０の外側に隣接するプッシュ機構６０が設けられている。なお、図１３はプッシュ機構を示すもので、図２のD−D線矢視断面に相当する断面図、図１４は図１３のXIV−XIV線矢視断面図、図１５はプッシュ機構を示す平面図、図１６はプッシュ機構の構成部品を示す分解斜視図である。
図１３に示すように、プッシュ機構６０は、前記ロック機構２０による蓋体１４のロックが解除されたときに蓋体１４を開く方向に付勢するすなわち弾性的に押し上げる機構である。プッシュ機構６０は、スリーブ６２とプッシュピン６４と第３のバネ６６とを備えて構成されている。スリーブ６２は、ケース本体１２に縦方向に延びる中空円筒状に形成されている。スリーブ６２の途中には、前後方向に延びる−（マイナス）型のピン挿通孔６９を有する抜止壁６８が形成されている（図１６参照）。また、スリーブ６２の上端面には、ピン挿通孔６９の長手方向を示す前後の切欠溝からなる目印７０が形成されている（図１５参照）。なお、スリーブ６２の上端面はケース本体１２の上端面と同一平面上に位置している。
【００２１】
図１３に示すように、前記プッシュピン６４は、前記スリーブ６２内に上下方向に移動可能に設けられている。図１６に示すように、プッシュピン６４は、その主体をなすピン部６４ａと、ピン部６４ａの上端部に膨出された大径の頭部６４ｂと、ピン部６４ａと頭部６４ｂとの間に形成された案内軸部６４ｃと、ピン部６４ａの下端部に径方向両側に張り出された一対の抜止凸部６４ｄとを有している。頭部６４ｂの上端面には、抜止凸部６４ｄの突出方向を示す−（マイナス）型の条溝からなる目印７２が形成されている。また、案内軸部６４ｃは、ピン部６４ａの外径よりも大きくかつ頭部６４ｂの外径よりも小さい外径で形成されている。また、一対の抜止凸部６４ｄは、案内軸部６４ｃの外径とほぼ等しい外径をもって形成されている。
【００２２】
前記スリーブ６２に対する前記プッシュピン６４の組付けに際しては、予めプッシュピン６４に第３のバネ６６が嵌合される。第３のバネ６６は、圧縮コイルバネからなり、その上端部が案内軸部６４ｃに嵌合されるとともに頭部６４ｂの下面に当接される。そして、スリーブ６２の目印７０の向きにプッシュピン６４の目印７２を合わせた状態で、スリーブ６２内にその上方からプッシュピン６４を第３のバネ６６と共に押し込む。これにより、プッシュピン６４の一対の抜止凸部６４ｄを含む下端部がスリーブ６２のピン挿通孔６９内に挿通されるとともに、第３のバネ６６がスリーブ６２の抜止壁６８とプッシュピン６４の頭部６４ｂとの間で圧縮される。プッシュピン６４の頭部６４ｂをスリーブ６２内に全体的に押し込むことにより、一対の抜止凸部６４ｄがスリーブ６２のピン挿通孔６９内を通り抜ける。この状態で、プッシュピン６４を軸回りに９０°回動させた後、プッシュピン６４に対する押し込み力を解放する（図１５参照）。すると、プッシュピン６４が第３のバネ６６の弾性復元力により上方へ押し戻されるとともに、一対の抜止凸部６４ｄがスリーブ６２の抜止壁６８に当接することによりプッシュピン６４の抜け止めがなされる（図１３及び図１４参照）。この状態では、プッシュピン６４の頭部６４ｂの上半部がスリーブ６２の上端面より上方へ突出する。このプッシュピン６４に位置を「上昇位置」という。一方、前記蓋体１４には、閉鎖時においてプッシュピン６４の頭部６４ｂを押下げ可能な円柱状の押圧部７４が形成されている。押圧部７４の下端面は、蓋体１４の下端面と同一平面上に位置している。
【００２３】
次に、工具ケース１０に備えたロック機構２０の作動について説明する。いま、蓋体１４が開いた状態（例えば半開状態（図２及び図３参照））にあるときは、ラッチベース２２及びラッチレバー２４が各バネ４０，４８の弾性によりそれぞれロック位置に保持されている。また、プッシュピン６４は、第３のバネ６６の弾性により上昇位置に保持されている。この状態から蓋体１４を閉じると、ケース本体１２の第１の係合部２６の案内部５３の傾斜面５３ａにラッチベース２２の第１の係止部４４の傾斜面４４ｂが当接する（図４参照）。
【００２４】
続いて、案内部５３の傾斜面５３ａ上を第１の係止部４４の傾斜面４４ｂが摺動していくにともない、蓋体１４に対してラッチベース２２が第１のバネ４０の弾性に抗して前方へ回動されていく。このとき、ラッチレバー２４は、ラッチベース２２と一体的に回動される。そして、ケース本体１２の第１の係合部２６における前面の下端部に、ラッチベース２２の第１の係止部４４の後端部が対応したところでラッチベース２２の回動量が最大となる（図５及び図６参照）。さらに、蓋体１４を閉じると、ケース本体１２の第１の係合部２６の前面をラッチベース２２の第１の係止部４４の後端部が通過する。これにより、ラッチベース２２が第１のバネ４０の弾性によりロック位置へ回動される。これにともない、ケース本体１２の第１の係合部２６の係合面２６ａにラッチベース２２の第１の係止部４４の係止面４４ａが近接又は当接した状態に係合する。これにより、ケース本体１２の第１の係合部２６とラッチベース２２の第１の係止部４４とで構成されるメインロック機構によるメインロックがなされる（図７及び図８参照）。
【００２５】
また、ラッチベース２２がロック位置に位置する直前において、ケース本体１２の第２の係合部２８の前面の下端部に、ラッチレバー２４の第２の係止部５０の後端部が当接することにより、ラッチベース２２に対してラッチレバー２４が第２のバネ４８の弾性に抗して前方へ回動される。そして、蓋体１４を閉じるにともない、ラッチベース２２がロック位置に位置した直後に、ケース本体１２の第２の係合部２８の前面をラッチレバー２４の第２の係止部５０の後端部が通過する。これにより、ラッチレバー２４が第２のバネ４８の弾性によりロック位置へ回動される。これにともない、ケース本体１２の第２の係合部２８の下面（係合面）にラッチレバー２４の第２の係止部５０の係止面５０ａが近接又は当接した状態に係合する。これにより、ケース本体１２の第２の係合部２８とラッチレバー２４の第２の係止部５０とで構成されるサブロック機構によるサブロックがなされる（図９及び図１０参照）。この状態では、第２の係合部２８の係合凹部５７に第２の係止部５０の係止爪５１が対向状に近接する。また、この蓋体１４の位置を「閉止位置」という。また、ラッチベース２２がケース本体１２及び蓋体１４の両凹溝１８内に格納されるとともに、ラッチベース２２の両側片部３１の間にラッチレバー２４が格納される。
【００２６】
また、ケース本体１２の第１の係合部２６における前面にラッチベース２２の第１の係止部４４の後端部が対応したところ辺りまで蓋体１４が閉じられたときには、プッシュ機構６０のプッシュピン６４上に蓋体１４の押圧部７４が当接する。このため、蓋体１４が閉止位置に閉じられるにともない、押圧部７４によりプッシュピン６４が第３のバネ６６の弾性に抗して押し下げられる（図１４中、二点鎖線６４参照）。
【００２７】
上記のようにして、メインロックとサブロックとによる二重ロックがなされる。すなわち、ケース本体１２に閉じた蓋体１４がメインロック及びサブロックにより二重に閉止状態に保持される。したがって、工具ケース１０の落下等による不意な外力により蓋体１４が開くことを防止することができる。また、仮に不意な外力で蓋体１４が僅かに開くような場合には、ケース本体１２の第２の係合部２８の係合凹部５７にラッチレバー２４の第２の係止部５０の係止爪５１が係合することによって、ラッチレバー２４の前方へのアンロック操作が阻止される。このため、ラッチレバー２４のアンロック操作によるロック解除を防止し、ひいては蓋体１４が開くことを防止することができる。
【００２８】
次に、蓋体１４を閉止位置から開ける場合には、ラッチベース２２に対してラッチレバー２４を第２のバネ４８の弾性に抗して前方へ回動させながら上方へ引き上げる。すると、ケース本体１２の第２の係合部２８に対するラッチレバー２４の第２の係止部５０の係合すなわちサブロックが解除される。続いて、ラッチレバー２４を前方へ引き上げるにともない、ラッチレバー２４の両軸部４７の近くの側縁部４７ａがラッチベース２２の両軸受部４５に当接する。これにより、ラッチレバー２４に追従してラッチベース２２が第１のバネ４０の弾性に抗して前方へ回動させながら引き上げられる。すると、ケース本体１２の第１の係合部２６に対するラッチベース２２の第１の係止部４４の係合すなわちメインロックが解除される。さらに、ラッチレバー２４を前方へ引き上げるにともない、ラッチベース２２の主板部３０の第２の当接部３７が蓋体１４の第２のストッパ部３８上に当接する。これより、ラッチレバー２４に追従してラッチベース２２とともに蓋体１４が引き上げられる結果、蓋体１４を全開位置に向けて開くことができる。
【００２９】
また、ケース本体１２の第１の係合部２６に対するラッチベース２２の第１の係止部４４の係合が解除された際に、プッシュ機構６０の第３のバネ６６の弾性復元力により押上げられたプッシュピン６４が押圧部７４を押上げることによって、蓋体１４が押し開かれる（図１３及び図１４参照）。この蓋体１４の位置を「押上げ位置」という。また、作業中においては、プッシュ機構６０により蓋体１４を押上げ位置に保持させておくことができる。
【００３０】
上記した工具ケース１０によると、ケース本体１２に蓋体１４を閉じると、ケース本体１２に設けられた第１の係合部２６に、蓋体１４に設けられたラッチベース２２が第１のバネ４０の弾性をもって係合する。これにともない、ケース本体１２に設けられた第２の係合部２８に、ラッチベース２２に設けられたラッチレバー２４が第２のバネ４８の弾性をもって係合する。これにより、蓋体１４を閉じる操作の１アクションのみで、第１の係合部２６に対するラッチベース２２の係合によるメインロックがなされるとともに第２の係合部２８に対するラッチレバー２４の係合によるサブロックがなされることによって、二重ロックがなされる。また、蓋体１４の開放時において、第２の係合部２８に対するラッチレバー２４の係合の解除操作に連動して第１の係合部２６に対するラッチベース２２の係合が解除されることにより、蓋体１４の開放に係る操作を１アクションで行える。したがって、二重ロック構造でありながら蓋体１４の開閉に係る操作性を向上することができる。
【００３１】
また、第１の係合部２６に対するラッチベース２２の係合が解除されたときに、プッシュ機構６０によりケース本体１２に対して蓋体１４を押し開くことができる。
【００３２】
本発明は上記した実施例に限定されるものではなく、本発明の要旨を逸脱しない範囲における変更が可能である。例えば、前記実施例では、左右一対のロック機構２０を備えた工具ケース１０を例示したが、１つのロック機構２０あるいは３つ以上のロック機構２０を備えた工具ケースにも本発明を適用することができる。また、前記実施例では、ケース本体１２に第１の係合部２６及び第２の係合部２８を設け、蓋体１４にラッチベース２２及びラッチレバー２４を設けたが、蓋体１４に第１の係合部２６及び第２の係合部２８を設け、ケース本体１２にラッチベース２２及びラッチレバー２４を設けてもよい。
【符号の説明】
【００３３】
１０…工具ケース
１２…ケース本体
１４…蓋体
２２…ラッチベース（メインラッチ）
２４…ラッチレバー（サブラッチ）
２６…第１の係合部（メイン係合部）
２８…第２の係合部（サブ係合部）
４０…第１のバネ（弾性部材）
４８…第２のバネ（弾性部材）
６０…プッシュ機構
【図１】
2010207937.tif 000003
【図２】
2010207937.tif 000004
【図３】
2010207937.tif 000005
【図４】
2010207937.tif 000006
【図５】
2010207937.tif 000007
【図６】
2010207937.tif 000008
【図７】
2010207937.tif 000009
【図８】
2010207937.tif 000010
【図９】
2010207937.tif 000011
【図１０】
2010207937.tif 000012
【図１１】
2010207937.tif 000013
【図１２】
2010207937.tif 000014
【図１３】
2010207937.tif 000015
【図１４】
2010207937.tif 000016
【図１５】
2010207937.tif 000017
【図１６】
2010207937.tif 000018